(57)【要約】【課題】おにぎりを直接手で掴むことなく食べることができると共に、地面や床面に置くこともできるようにする。【解決手段】樹脂フィルムをもって所要の厚みを有する三角の箱型形状となし、底面にその開口部を閉塞する蓋を設けると共に、左右両斜面２ａ、２ｂにおける両縁部に、底面より所要の高さの位置から頂部にかけて適宜の分断手段を設けると共に頂部に前面２ｃから後面２ｄにかけて適宜の分断手段を設けた外側包装体２を用いる。またこれと共に、三角形のにぎり飯１０に被せ、その外面と外側包装体２の内面との間にシート状のり１１を挟んだ状態において外側包装体２の内部に収容する内側包装体９を用いる。外側包装体２内に、三角形のにぎり飯１０に被せた内側包装体９を収容すると共に、該内側包装体９の外面と外側包装体２の内面との間にシート状のりを挟んだ状態に収容する。【選択図】図１
0003111557.tif 000002
【実用新案登録請求の範囲】
【請求項１】
樹脂フィルム又は防湿性の紙をもって所要の厚みを有する三角の箱型形状となし、底面にその開口部を閉塞する蓋を設けると共に、左右両斜面及び前後面を、底面側に広告表示部を兼ねた所要幅の掴み部を残して夫々分断して開くことができるようになした外側包装体と、樹脂フィルムからなり、三角形のにぎり飯に被せ、その外面と前記外側包装体の内面との間にシート状のり等のシート状食品を挟んだ状態において前記外側包装体の内部に収容する内側包装体とからなるおにぎり包装体。
【請求項２】
樹脂フィルム又は防湿性の紙をもって所要の厚みを有する三角の箱型形状となし、底面にその開口部を閉塞する蓋を設けると共に、左右両斜面における両縁部に、底面より所要の高さの位置から頂部にかけて適宜の分断手段を設けると共に頂部に前面から後面にかけて適宜の分断手段を設けて、左右両斜面及び前後面を、底面側に広告表示部を兼ねた所要幅の掴み部を残して夫々分断して開くことができるようになした外側包装体と、樹脂フィルムからなり、三角形のにぎり飯に被せ、その外面と前記外側包装体の内面との間にシート状のり等のシート状食品を挟んだ状態において前記外側包装体の内部に収容する内側包装体とからなるおにぎり包装体。
【請求項３】
樹脂フィルム又は防湿性の紙をもって所要の厚みを有する三角の箱型形状となし、底面にその開口部を閉塞する蓋を設けると共に、左右両斜面及び前後面を、底面側に広告表示部を兼ねた所要幅の掴み部を残して夫々分断して開くことができるようになした外側包装体と、樹脂フィルムからなり、三角形のにぎり飯に被せ、その外面と前記外側包装体の内面との間にシート状のり等のシート状食品を挟んだ状態において前記外側包装体の内部に収容する内側包装体とからなるおにぎり包装体を用い、外側包装体内に、三角形のにぎり飯に被せた内側包装体を収容すると共に、該内側包装体の外面と前記外側包装体の内面との間にシート状のり等のシート状食品を挟んだ状態に収容してなる包装おにぎり。
【請求項４】
樹脂フィルム又は防湿性の紙をもって所要の厚みを有する三角の箱型形状となし、底面にその開口部を閉塞する蓋を設けると共に、左右両斜面における両縁部に、底面より所要の高さの位置から頂部にかけて適宜の分断手段を設けると共に頂部に前面から後面にかけて適宜の分断手段を設けて、左右両斜面及び前後面を、底面側に広告表示部を兼ねた所要幅の掴み部を残して夫々分断して開くことができるようになした外側包装体と、樹脂フィルムからなり、三角形のにぎり飯に被せ、その外面と前記外側包装体の内面との間にシート状のり等のシート状食品を挟んだ状態において前記外側包装体の内部に収容する内側包装体とからなるおにぎり包装体を用い、外側包装体内に、三角形のにぎり飯に被せた内側包装体を収容すると共に、該内側包装体の外面と前記外側包装体の内面との間にシート状のり等のシート状食品を挟んだ状態に収容してなる包装おにぎり。
【考案の詳細な説明】
【技術分野】
【０００１】  本考案は三角形のにぎり飯を包装する包装体と該包装体により包装した包装おにぎりに関するものである。
【背景技術】
【０００２】  おにぎりを食べるとき、おにぎりを直接掴んで食べることが普通であるが、手が汚れているときにあっては衛生上の面から直ちに食べることに抵抗を覚える。これは忙しい仕事の合間をみつけて食事をしようとするとき等に誰もが経験することである。【０００３】  また、お茶を飲んだり、御菜をつまむとき等において近くに置き皿がないときには、地面や床面に直接おにぎりを置くことができない。またこのため、一方の手がおにぎりを掴んでふさがった状態のまま、もう一方の手で湯呑や箸を掴まなければならず、非常に動作がしずらい。
【考案の開示】
【考案が解決しようとする課題】
【０００４】  本考案は上記の点に鑑みなされたものであって、外側包装体の下部に掴み部を形成し、外側包装体の左右両斜面と前後面を恰もバナナの皮を剥くようにして開いて内部のおにぎりを食べるとき、おにぎりを直接掴むことなく、該掴み部を掴んで食べることができると共に、お茶を飲んだり、御菜をつまむとき等において置き皿がないときには、おむすびの下部が未だ外側包装体の下部で包まれていることにより、これをそのまま地面や床面に置くことができるようになしたおにぎり包装体及び包装おにぎりを提供せんとするものである。
【課題を解決するための手段】
【０００５】  而して、本考案は、次のおにぎり包装体及び包装おにぎりを要旨とするものである。
（１）樹脂フィルム又は防湿性の紙をもって所要の厚みを有する三角の箱型形状となし、底面にその開口部を閉塞する蓋を設けると共に、左右両斜面及び前後面を、底面側に広告表示部を兼ねた所要幅の掴み部を残して夫々分断して開くことができるようになした外側包装体と、樹脂フィルムからなり、三角形のにぎり飯に被せ、その外面と前記外側包装体の内面との間にシート状のり等のシート状食品を挟んだ状態において前記外側包装体の内部に収容する内側包装体とからなるおにぎり包装体。【０００６】（２）樹脂フィルム又は防湿性の紙をもって所要の厚みを有する三角の箱型形状となし、底面にその開口部を閉塞する蓋を設けると共に、左右両斜面における両縁部に、底面より所要の高さの位置から頂部にかけて適宜の分断手段を設けると共に頂部に前面から後面にかけて適宜の分断手段を設けて、左右両斜面及び前後面を、底面側に広告表示部を兼ねた所要幅の掴み部を残して夫々分断して開くことができるようになした外側包装体と、樹脂フィルムからなり、三角形のにぎり飯に被せ、その外面と前記外側包装体の内面との間にシート状のり等のシート状食品を挟んだ状態において前記外側包装体の内部に収容する内側包装体とからなるおにぎり包装体。【０００７】（３）樹脂フィルム又は防湿性の紙をもって所要の厚みを有する三角の箱型形状となし、底面にその開口部を閉塞する蓋を設けると共に、左右両斜面及び前後面を、底面側に広告表示部を兼ねた所要幅の掴み部を残して夫々分断して開くことができるようになした外側包装体と、樹脂フィルムからなり、三角形のにぎり飯に被せ、その外面と前記外側包装体の内面との間にシート状のり等のシート状食品を挟んだ状態において前記外側包装体の内部に収容する内側包装体とからなるおにぎり包装体を用い、外側包装体内に、三角形のにぎり飯に被せた内側包装体を収容すると共に、該内側包装体の外面と前記外側包装体の内面との間にシート状のり等のシート状食品を挟んだ状態に収容してなる包装おにぎり。【０００８】（４）樹脂フィルム又は防湿性の紙をもって所要の厚みを有する三角の箱型形状となし、底面にその開口部を閉塞する蓋を設けると共に、左右両斜面における両縁部に、底面より所要の高さの位置から頂部にかけて適宜の分断手段を設けると共に頂部に前面から後面にかけて適宜の分断手段を設けて、左右両斜面及び前後面を、底面側に広告表示部を兼ねた所要幅の掴み部を残して夫々分断して開くことができるようになした外側包装体と、樹脂フィルムからなり、三角形のにぎり飯に被せ、その外面と前記外側包装体の内面との間にシート状のり等のシート状食品を挟んだ状態において前記外側包装体の内部に収容する内側包装体とからなるおにぎり包装体を用い、外側包装体内に、三角形のにぎり飯に被せた内側包装体を収容すると共に、該内側包装体の外面と前記外側包装体の内面との間にシート状のり等のシート状食品を挟んだ状態に収容してなる包装おにぎり。
【考案の効果】
【０００９】  本考案は、上記の如く外側包装体の下部に掴み部を形成してあるから、外側包装体の左右両斜面と前後面を恰もバナナの皮を剥くようにして開いて内部のおにぎりを食べるとき、おにぎりを直接掴むことなく、該掴み部を掴んで食べることができものである。また、お茶を飲んだり、御菜をつまむとき等において置き皿がないときには、おにぎりの下部が未だ外側包装体の下部で包まれていることにより、これをそのまま地面や床面に置くことができるものである。そしてまた、これにより両手が自由に使えることになり、楽にお茶を飲んだり、御菜をつまむことができるようになるものである。【００１０】  また、外側包装体の下部に形成した掴み部は、前記の通りこれを掴む場所として使用することができると共に、これを広告宣伝媒体として使用することもできるものである。即ち、つまみ部に企業名や商品名等を表示することにより、これを広告宣伝媒体として使用することもでき、この場合あっては広告収入をおにぎり包装体や包装おにぎりの制作費の足しにすることにより、需要者に対して価格を下げて提供することが可能となるものである。【００１１】  また、シート状のり等のシート状食品は、外側包装体を開くと共に内部の内側包装体を引き抜いた時点で初めておにぎりに接触するものであり、したがってそれ迄はおにぎりと直接接触することはないから、湿気を帯びることがないものである。【００１２】  また、外側包装体は簡単に開くことができると共に、内側包装体を引き抜くだけで自然にシート状のり等のシート状食品がおにぎりをくるむようになることから、開封から食べるまでの手順が簡単且つ迅速である。
【考案を実施するための最良の形態】
【００１３】  本考案を実施するための最良の形態において、おにぎり包装体は、樹脂フィルム又は防湿性の紙を持って所要の厚みを有する三角の箱型形状となし、底面にその開口部を閉塞する蓋を設けると共に、左右両斜面及び前後面を、底面側に広告表示部を兼ねた所要幅の掴み部を残して夫々分断して開くことができるようになした外側包装体と、樹脂フィルムからなり、三角形のにぎり飯に被せ、その外面と前記外側包装体の内面との間にシート状のり等のシート状食品を挟んだ状態において前記外側包装体の内部に収容する内側包装体とをもって構成するものであり、また包装おにぎりは、樹脂フィルム又は防湿性の紙をもって所要の厚みを有する三角の箱型形状となし、底面にその開口部を閉塞する蓋を設けると共に、左右両斜面及び前後面を、底面側に広告表示部を兼ねた所要幅の掴み部を残して夫々分断して開くことができるようになした外側包装体と、樹脂フィルムからなり、三角形のにぎり飯に被せ、その外面と前記外側包装体の内面との間にシート状のり等のシート状食品を挟んだ状態において前記外側包装体の内部に収容する内側包装体とからなるおにぎり包装体を用い、外側包装体内に、三角形のにぎり飯に被せた内側包装体を収容すると共に、該内側包装体の外面と前記外側包装体の内面との間にシート状のり等のシート状食品を挟んだ状態に収容するものである。
【実施例】
【００１４】  以下、本考案の実施例について説明する。
図１は外側包装体を一部切除して示した斜視図、図２は外側包装体を開き、内側包装体を引き抜いた状態の斜視図、図３は外側包装体の斜視図、図４は外側包装体の底蓋を開いた状態の底面側から看た斜視図、図５は開いた状態の外側包装体の斜視図である。【００１５】  図中、１は包装おにぎりである。２は外側包装体である。また該外側包装体２は、樹脂フィルムをもって所要の厚みを有する三角の箱型形状となし、底面にその開口部２Ａを閉塞する蓋３、４、５、６を設けると共に、左右両斜面２ａ、２ｂにおける両縁部に、底面より所要の高さの位置から頂部にかけて適宜の分断手段を設けると共に頂部に前面２ｃから後面２ｄにかけて適宜の分断手段を設け、もって左右両斜面２ａ、２ｂ及び前後面２ｃ、２ｄを、底面側に広告表示部を兼ねた所要幅の掴み部７を残して夫々分断して開くことができるようになしている。【００１６】  また、本実施例にあっては、該外側包装体２を樹脂フィルムをもって製作しているが、防湿性の紙を用いるようにしてもよい。そしてまた、該外側包装体２には、昔ながらの竹皮や経木風等の印刷を施せば、よりおにぎりらしい風合いを出すことができ、購買意欲をそそることができるものである。【００１７】  また、外側包装体２を開くための分断手段として、本実施例では、左右両斜面２ａ、２ｂの分断手段を、ミシン目による断続的な切断線８をいれ、また頂部の分断手段を、左右両斜面２ａ、２ｂの上端部につまみ片２ｅ、２ｆを延設し、これらつまみ片２ｅ、２ｆの基部を接着することによって行っている。また、分断手段としては、この他カットテープによる手段によってもよい。即ち、外側包装体２における分断する所定の位置に細幅のテープを接着力の強い接着剤をもって貼着し、該細幅のテープを剥がすとき、該テープの幅で外側包装体２も一緒に引き裂き、もって外側包装体２を左右両斜面２ａ、２ｂ、前後面２ｃ、２ｄに分断して開くものである。尚、分断手段としては、ここに開示した以外の手段を採用してもよい。【００１８】  ９は内側包装体である。また、該内側包装体９は、米飯に対して滑り易く且つ防湿性に優れた樹脂フィルムによって製作されている。そして、該内側包装体９は、三角形のにぎり飯に被せ、その外面と前記外側包装体２の内面との間にシート状のり等のシート状食品を挟んだ状態において前記外側包装体２の内部に収容するものである。また、１０は三角形のにぎり飯、１１はシート状のりである。【００１９】  而して、本実施例において、おむすびを食べるときには、図２及び図５に示す如く、先ずつまみ片２ｅ、２ｆを摘んでこれを左右方向に強く引っ張り、外側包装体２の左右両斜面２ａ、２ｂにおける両縁部のミシン目による断続的な切断線８部分から切り開くものである。そして、恰もバナナの皮を剥くように外側包装体２の左右両斜面２ａ、２ｂと前後面２ｃ、２ｄを夫々外側に開き、その後図２に示す如く内側包装体９を上方に引き抜くものである。これにより三角形のにぎり飯１０が露出し、これと同時に該三角形のにぎり飯１０の外面にシート状のり１１が接触してはり付くものである。そして、この状態において外側包装体２の掴み部７を掴んで食べるものである。また、地面や床面に置くときには、立��た状態でおくものである。
【図面の簡単な説明】
【００２０】
【図１】本考案の実施例の外側包装体を一部切除して示した斜視図である。
【図２】外側包装体を開き、内側包装体を引き抜いた状態の斜視図である。
【図３】外側包装体の斜視図である。
【図４】外側包装体の底蓋を開いた状態の底面側から看た斜視図である。
【図５】開いた状態の外側包装体の斜視図である。
【符号の説明】
【００２１】  １  包装おにぎり
２  外側包装体
２ａ、２ｂ  外側包装体の両斜面
２ｃ、２ｄ  外側包装体の前後面
２ｅ、２ｆ  つまみ片
３、４、５、６  底蓋
７  掴み部
８  切断線
９  内側包装体
１０  三角形のにぎり飯
１１  シート状のり
【図１】
0003111557.tif 000003
【図２】
0003111557.tif 000004
【図３】
0003111557.tif 000005
【図４】
0003111557.tif 000006
【図５】
0003111557.tif 000007